(57)【特許請求の範囲】
【請求項１】
天面と、該天面の周縁より略垂下する周壁と、該周壁の下端より外向きに形成されたフランジ部とを有し、有底皿状の化粧料リフィル皿の上部より被嵌することで該リフィル皿を収納可能なリフィル皿保護容器であって、前記周壁は、リフィル皿の側壁に係止自在に形成された係止部と、リフィル皿の側壁の一部を露出するように形成された指入れ部と、リフィル皿保護容器内へ突出するように形成された少なくとも３つの突起部とを備え、該突起部は、その少なくとも１つが前記指入れ部を有する部分および／またはその周辺部の周壁に形成されるとともに、２つが指入れ部からほぼ等距離にある周壁の２箇所にそれぞれ１つずつ対向して形成されており、収納されたリフィル皿の側壁上端と該突起部が当接することにより天面とリフィル皿との間に空間が形成され、前記指入れ部に対向する周壁側のリフィル皿の底部を該空間方向へ押し込むことにより、対向して形成された２つの前記突起部を支点として指入れ部を有する側のリフィル皿の一部が保護容器から離脱することを特徴とするリフィル皿保護容器。
【請求項２】
前記対向して形成された２つの突起部が、前記指入れ部と、指入れ部に対向する周壁とを結ぶ左右両周壁のそれぞれ略中央部に形成されていることを特徴とする請求項１に記載のリフィル皿保護容器。
【請求項３】
前記リフィル皿保護容器において、前記天面および該天面の周縁より略垂下する周壁が平面視で４つの直線状部分を含む略矩形に形成されており、前記指入れ部を有する部分および／またはその周辺部の周壁に形成される少なくとも１つの突起部が、指入れ部を有する直線状周壁に形成されており、前記対向して形成された２つの突起部が、前記指入れ部を有する直線状周壁に隣接する直線状周壁の略中央部にそれぞれ対向して形成されるとともに、前記突起部を有さない直線状周壁側のリフィル皿の底部を該空間方向へ押し込むことにより、対向して形成されたふたつの前記突起部を支点として指入れ部を有する側のリフィル皿の一部が保護容器から離脱することを特徴とする請求項１に記載のリフィル皿保護容器。
【請求項４】
前記指入れ部が、前記周壁の一部を容器外側へ凸起させることにより形成されていることを特徴とする請求項１ないし請求項３のいずれか１項に記載のリフィル皿保護容器。
【請求項５】
前記指入れ部が、前記周壁の一部を切り欠くことにより形成されていることを特徴とする請求項１ないし請求項４のいずれか１項に記載のリフィル皿保護容器。
【請求項６】
前記周壁の一部に連続して凹溝を形成することによりジャバラ部を設けていることを特徴とする請求項１ないし請求項５のいずれか１項に記載のリフィル皿保護容器。
【請求項７】
前記天面と、収納されたリフィル皿の上部との間の距離が１〜１０ｍｍであることを特徴とする請求項１ないし請求項６のいずれか１項に記載のリフィル皿保護容器。
【請求項８】
前記係止部が設けられている周壁付近の前記フランジ部の一部が下方に突出する台座突起を形成していることを特徴とする請求項１ないし請求項７のいずれか１項に記載のリフィル皿保護容器。
【発明の詳細な説明】
【技術分野】
【０００１】
本発明は、化粧料を充填したリフィル皿に被嵌して内容物の化粧料およびリフィル皿を収納、保護するためのリフィル皿保護容器に関し、更に詳細には、一枚のシートより成型され、収納したリフィル皿をシーソー式離脱機構によって確実かつ容易に取り外すことが可能なリフィル皿保護容器に関する。
【背景技術】
【０００２】
近年、化粧品の分野では、ファンデーションやアイカラー、頬紅等を中心に、詰め替えが可能なリフィル容器による提供がなされるようになっている。このタイプの化粧料は使い切った後に、リフィル用化粧料を購入し、繰り返し詰め替え使用するというものである
【０００３】
こうしたリフィル用化粧料は、一般的に、リフィル皿に充填され、簡易な保持ケースに入れられ、保護された状態で販売されている。そして従来の保持ケースとして、リフィル皿を収納する容器体保持部と蓋部とから構成されているものがあるが（特許文献１、２）、より構成を簡略化して一枚のシートより一体成型すれば、資源やゴミの軽減に貢献するため好ましい。
【０００４】
一方、構成を簡易なものとすると、収納されたリフィル皿が外部からの衝撃等で脱落しやすくなるおそれがある。そのため、かかる脱落を防ぐために保持ケースのリフィル皿に対する係合保持力を高める必要があるが、その場合、逆にリフィル皿を保持ケース内から取り外しにくくなるという問題が生じていた。
【０００５】
そこで、本出願人は、かかる問題を解消すべく、リフィル皿収納部のほぼ中央に凸部を設けて、リフィル皿の裏側の一方を収納部内に押し込むと、該凸部を支点として押された側とは反対側が収納部から持ち上がり容易に取り外すことができるというリフィル皿用保護容器を出願している（特許文献３、４）。
【０００６】
かかるシーソー式離脱機構を採用する場合、収納部から持ち上がったリフィル皿の端部を簡単に指で把持できるよう、あらかじめ収納部の壁面の一部を切り欠いて、あるいは切り欠き可能に形成して、その部分から指を入れることが出来るようにすると、リフィル皿の取り外しがより容易となる。
【０００７】
しかしながら、かかる切り欠き部が収納部壁面の一方にしかない場合、以下のような問題が生じていた。すなわち、リフィル皿収納部の中央に凸部を設けることにより、左右のいずれを押しても押された方と反対側のリフィル皿が収納部から外れるため、指入れ部が形成された側のリフィル皿の裏側を押すと、指入れ部が形成されていない側のリフィル皿が外れて収納部から持ち上がることになる。その結果、指入れ部が形成されていない収納部壁面とリフィル皿との間にできた狭い空間に指を入れてリフィル皿端部を把持しなければならず、取り外し易さが損なわれるおそれがあった。
【０００８】
【特許文献１】特開平１０−７５８１７
【特許文献２】特開平１１−２７６２４０
【特許文献３】特開２００３−２６５２２４
【特許文献４】特開２００４−２７５６４０
【発明の開示】
【発明が解決しようとする課題】
【０００９】
そこで本発明は、従来のリフィル皿保護容器のかかる欠点を克服し、リフィル皿の裏側の一方を収納部内に押し込むと、凸部を支点として押された側とは反対側が収納部から持ち上がって外れるシーソー式離脱機構を備えたリフィル皿保護容器において、リフィル皿の押し込む側を指入れ部が形成されていない側に制限することにより、常に指入れ部が形成されている側のリフィル皿が収納部から外れて、収納したリフィル皿を確実かつ容易に取り外すことが可能なリフィル皿保護容器の提供をその課題とするものである。
【課題を解決するための手段】
【００１０】
本発明は、上記課題を解決するものであり、天面と、該天面の周縁より略垂下する周壁と、該周壁の下端より外向きに形成されたフランジ部とを有し、有底皿状の化粧料リフィル皿の上部より被嵌することで該リフィル皿を収納可能なリフィル皿保護容器であって、前記周壁は、リフィル皿の側壁に係止自在に形成された係止部と、リフィル皿の側壁の一部を露出するように形成された指入れ部と、リフィル皿保護容器内へ突出するように形成された少なくとも３つの突起部とを備え、該突起部は、その少なくとも１つが前記指入れ部を有する部分および／またはその周辺部の周壁に形成されるとともに、２つが指入れ部からほぼ等距離にある周壁の２箇所にそれぞれ１つずつ対向して形成されており、収納されたリフィル皿の側壁上端と該突起部が当接することにより天面とリフィル皿との間に空間が形成され、前記指入れ部に対向する周壁側のリフィル皿の底部を該空間方向へ押し込むことにより、対向して形成された２つの前記突起部を支点として指入れ部を有する側のリフィル皿の一部が保護容器から離脱することを特徴とするリフィル皿保護容器である。
【発明の効果】
【００１１】
本発明にかかるリフィル皿保護容器は、周壁に形成された突起部により、指入れ部が形成されていない側のみにリフィル皿を押し込む場所が制限されるため、確実に指入れ部が形成されている側のリフィル皿が離脱され、常に安定してリフィル皿を取り外すことが可能となる。このように、取り外しの確実性が向上したため、容器全体の係合保持力を高めても外しにくいという問題は生じず、収納保護容器としての性能向上に資することになる。
【図面の簡単な説明】
【００１２】
【図１】（Ａ）本発明のリフィル皿保護容器の平面図、（Ｂ）本発明のリフィル皿保護容器の正面図、（Ｃ）本発明のリフィル皿保護容器の側面図、（Ｄ）本発明のリフィル皿保護容器の部分拡大斜視図
【図２】（Ａ）本発明のリフィル皿保護容器にリフィル皿を収納した状態を表す中央横断面図、（Ｂ）本発明のリフィル皿保護容器からリフィル皿を取り外している状態を表す中央横断面図、（Ｃ）本発明のリフィル皿保護容器に収納するリフィル皿の側壁形状の一例を表す部分斜視図、（Ｄ）本発明の異なる態様のリフィル皿保護容器にリフィル皿を収納した状態を表す中央横断面図
【図３】（Ａ）本発明の異なる態様のリフィル皿保護容器の平面図、（Ｂ）本発明の異なる態様のリフィル皿保護容器の正面図、（Ｃ）本発明の異なる態様のリフィル皿保護容器の側面図、（Ｄ）本発明の異なる態様のリフィル皿保護容器の部分拡大斜視図
【図４】（Ａ）本発明の異なる態様のリフィル皿保護容器の平面図、（Ｂ）本発明の異なる態様のリフィル皿保護容器の正面図、（Ｃ）本発明の異なる態様のリフィル皿保護容器の側面図、（Ｄ）本発明の異なる態様のリフィル皿保護容器の部分拡大斜視図
【図５】本発明の異なる態様のリフィル皿保護容器の平面図
【発明を実施するための形態】
【００１３】
以下、本発明のリフィル皿保護容器の実施態様を、図面に基づいて具体的に説明する。なお、本発明はこれら実施態様に何ら制約されるものではない。
【００１４】
図１（Ａ）は本発明のリフィル皿保護容器の平面図、図１（Ｂ）は同正面図、図１（Ｃ）は同側面図、図１（Ｄ）は同部分拡大斜視図、図２（Ａ）は本発明のリフィル皿保護容器にリフィル皿を収納した状態を表す中央横断面図、図２（Ｂ）は本発明のリフィル皿保護容器からリフィル皿を取り外している状態を表す中央横断面図である。図中、１はリフィル皿保護容器、２はリフィル皿、１１は天面、１２は周壁、１３はフランジ部、１４は突起部、１５は突起部、１２１は係止部、１２２は指入れ部、１２３はジャバラ部、１２４は段差部、１３１は台座突起、２１は側壁、２２は底部、αは化粧料をそれぞれ示す。
【００１５】
図１〜図２に示すように、本発明のリフィル皿保護容器１は、１枚のシートを成型することにより形成されている。具体的には、収納するリフィル皿２に合わせて平面視で４つの直線状部分を含む略角丸矩形に形成された天面１１の周縁より周壁１２が垂下し、同様に略角丸矩形を呈する周壁１２が形成される。この周壁１２の下端から外向きにフランジ部１３が形成されている。リフィル皿保護容器１には、天面１１と周壁１２により下方に開口する空間が形成されており、リフィル皿用保護容器１をリフィル皿２の上部より被嵌することでリフィル皿２がかかる空間内に収納され保護される。
【００１６】
周壁１２には、四隅部分に係止部１２１が容器内側へ突出して形成されており、また、周壁１２の短辺側の１辺に指入れ部１２２が形成されている。この指入れ部１２２は、周壁１２のほぼ中央部分を容器外側へ凸起させることにより形成されている。このように、周壁１２の一部を凸起させることにより、収納されたリフィル皿２の側壁の一部が外部に露出するとともに周壁１２との間に空間が形成され、取り外し時にかかる空間に指を入れることで、リフィル皿２の端部を容易に把持することができる。また、指入れ部１２２の両側には段差部１２４が設けられており、かかる段差部１２４によって、他の平板な周壁部分に比べて外力に対する耐撓性が付与され、指入れ部１２２周辺の周壁１２の強度を高めることができる。
【００１７】
さらに、周壁１２の天面１１との境界部分には、突起部が計３箇所形成されている。すなわち、指入れ部１２２が形成されている直線状の周壁１２（短辺側）に、ひとつの突起部１５が容器内側へ突出して形成され、かかる周壁１２（短辺側）に隣接する直線状の周壁１２（長辺側２辺）のほぼ中央部分に、ふたつの突起部１４が対向して容器内側へ突出するように形成されている。これら突起部の互いの位置関係は、少なくとも１つの突起部１５が指入れ部１２２が形成された周壁１２および、またはその周辺部の周壁１２に形成されているのに対し、２つの突起部１４が指入れ部１２２の両端からのびる周壁１２における、指入れ部１１２から左右にほぼ等距離にある２箇所にそれぞれ１つずつ対向して形成されていればよい。突起部１５の個数は少なくとも１つであるが、周壁１２（短辺側）の寸法上の制約から、１つ〜５つ程度、特に１つ〜２つが好ましい。指入れ部１２２の両端から２つの突起部１４への距離は、シーソーの作用によりリフィル皿２の一部が保護容器１から離脱可能になれば任意に設定可能であるが、保護容器１の係合保持が容易に外れ、かつ、リフィル皿２の端部を把持するのに十分な位置まで持ち上がるために、２つの突起部１４が、指入れ部１２２と、指入れ部１２２に対向する周壁１２を結ぶ左右両周壁１２のそれぞれ略中央部に位置するよう形成されていることが望ましい。なお、本実施態様において、これらの突起部は平面視で略台形に形成されており、断面視では周壁１２の上部と天面１１との入れ角部分に階段状に形成されているが、形状はこれに限らず、平面形状が正方形、長方形、半円形、三角形、かまぼこ型などでもよく、さらに、対向して設けた突起部１４を連結して平面視が長方形となるひとつの突起部とし、その断面形状を半円形やかまぼこ型にしてもよい。  
【００１８】
図２（Ａ）に示すように、リフィル皿保護容器１内にリフィル皿２を収納した場合、リフィル皿２の側壁２１の上端が突起部１４および突起部１５の下部に当接した状態になっており、リフィル皿２の上部（化粧料面）と天面１１との間に空間が形成されることになる。そして、収納されたリフィル皿２の保持は、リフィル皿２の側壁に形成された被係止部と周壁１２に設けられた係止部１２１が互いに係合し、更に、突起部１４および突起部１５によって上方向への動きも規制されることによりなされる。リフィル皿保護容器１内へのリフィル皿２の装着または取り外しは、基本的にリフィル皿保護容器１の可撓性を利用することにより行われる。
【００１９】
リフィル皿２の側壁２１に形成された被係止部と係止部１２１の係合方法については、係合可能であればその方法は特に限定されないが、係止部１２１が本実施態様のように容器内側へ突出した凸部である場合には、被係止部として、例えばリフィル皿２の側壁２１に図２（Ｃ）に示すような段部２３を設ければ、リフィル皿２の収納状態において係止部１２１の凸部が、段部２３の下の凹んだ（引っ込んだ）部分に収容され、係合が有効になされる。また、被係止部の他の例として、リフィル皿２の側壁２１上に水平方向に延びる凹溝や、係止部１２１の凸部に対応する位置に凹み等を設けてもよく、係止部１２１との係合が可能である。一方、係止部１２１が容器内側から見て凹部となっている場合には、被係止部としてはリフィル皿２の側壁に、該凹部に対応する凸部を設ければ両者の係合は可能であり、使用できる。このように、本実施態様のリフィル皿保護容器１は、突起部１４、１５、係止部１２１およびリフィル皿２の被係止部によってリフィル皿２を係合保持するが、被係止部を使用せずに、図２（Ｄ）に示すように係止部１２１をリフィル皿２の側壁２１の下端部より下に位置させ、係止部１２１の凸部をリフィル皿２の底部２２方向に突出させて、突起部１４、１５および係止部１２１だけでリフィル皿２を保持してもよい。さらに、係止部１２１のみで無理嵌合により、あるいは係止部１２１とその他の係止手段を組み合わせて保持してもよく、その場合、リフィル皿２の側壁２１の上端が突起部１４および突起部１５の下部に常に接していなくてもよい。ただし、リフィル皿２をより確実に係合保持し、かつ、リフィル皿保護容器１の全体の大きさをよりコンパクトにするためには、突起部１４、１５、係止部１２１およびリフィル皿２の被係止部の組み合わせにより、リフィル皿２を係合保持することがより好ましい。なお、リフィル皿２の上部と天面１１との間の距離は、突起部１４および突起部１５の高さを任意に設定することによって調整が可能であるが、１〜１０ｍｍ程度あればよく、３〜５ｍｍが好ましい。
【００２０】
図２（Ｂ）は、本実施態様のリフィル皿保護容器１からリフィル皿２を取り外すときの状態を表す断面図である。リフィル皿保護容器１の周壁１１には、ふたつの突起部１４とひとつの突起部１５が形成されており、突起部が形成されていないのは指入れ部１２２が形成された側とは反対の周壁側のみになる。よって、リフィル皿２の底部２２であって、かかる周壁付近の任意の一部を天面１１方向に押し上げると、リフィル皿２の上部と天面１１の間の空間にリフィル皿２の端部が押し込まれることになる。このとき、リフィル皿２のふたつの長辺側の側壁２１上端は、その中央部で突起部１４に当接しているため、その接点が支点となって、シーソーの作用により指入れ部１２２側に収納されていたリフィル皿２の一部が係合を外れて容器内から持ち上がる。そして、指入れ部１２２より指を入れて、リフィル皿保護容器１の端部を把持して取り出せば、取り外し作業は完了する。
【００２１】
この取り外し作業の際、仮に使用者が誤って突起部１５側に収納されている容器の一部を押した場合も、突起部１５によってリフィル皿２がリフィル皿保護容器１内に押し込まれることが阻止されるためリフィル皿２が外れることはない。このように、本発明のリフィル皿保護容器によれば、常に指入れ部１２２側の係合から外れるため、誤って指入れ部１２２とは反対側の係合を先に外してしまって取り出しに支障を来すこともない。
【００２２】
また、本実施態様のリフィル皿保護容器１は、指入れ部１２２を設けていない周壁１２にそれぞれ連続して凹溝を形成することによりジャバラ部１２３を設けている。このジャバラ部１２３の働きにより、１枚のシートから形成されたリフィル皿保護容器１全体の強度が向上する一方で、可撓性がより向上し、リフィル皿保護容器１の係止部１２１にリフィル皿２を係合させるときや、その係合を外す際、さらには、容器内からリフィル皿を取り出す際に、作業性の向上に資する。
【００２３】
また、本実施態様のリフィル皿保護容器１は、周壁１２の係止部１２１が設けられている付近のフランジ部１３の一部が下方に突出して台座突起１３１を形成している。この台座突起１３１の効果は以下の通りである。すなわち、リフィル皿保護容器１はリフィル皿の収納・取り外し作業を容易にするために、全体に可撓性を有していることが好ましいが、その一方、あまりに容易に係合が外れると、ちょっとした外部からの衝撃でリフィル皿が脱落することになりかねない。そこで、全体の可撓性は維持しつつ、係止部における係合保持力を向上させる必要がある。その点、係止部１２１の近傍のフランジ部１３に台座突起１３１を設けることにより、他の平板なフランジ部分に比べて外力に対する耐撓性が付与されるため、係止部１２１付近の周壁１２の強度も向上し、よって、リフィル皿に対する係合保持力を高めることができる。
【００２４】
さらに、台座突起１３１を製造ライン等において接地させることにより、リフィル皿保護容器１と床面の摩擦を低減し、移動性を向上させることもできる。また、箱容器への装填に際し、リフィル皿を装填したリフィル皿用保護容器１を箱容器へ収納した後、閉蓋時に箱容器に挿入される蓋板のフラップ（差込片）がリフィル皿保護容器１と接触する面積を少なくし、フラップの挿入を容易にして箱容器を組み立て易くすることができる。さらに、リフィル皿に対する緩衝作用も有する。
【００２５】
本発明のリフィル皿保護容器１は、容器全体に適度な可撓性をもたせるために、ある程度の弾性を有する材料で形成することが望ましく、また、充填されたリフィル皿中の化粧料の色等を反対側から簡単に確認できるものとするために、透明な材料を使用することが好ましい。このような条件を満たす材料としては、例えば、ポリエチレンテレフタレート、ポリスチレン、ポリプロピレン、ポリエチレン、ポリカーボネートやこれらの再生樹脂等のプラスチック材料等を挙げることができる。
【００２６】
図３は、本発明のリフィル皿保護容器の異なる一態様を示す図である。本実施態様のものは、第一の態様のものと比べて基本的な構成は共通するが、指入れ部１２５の構成が相違する。詳しくは、本実施態様の指入れ部１２６は、突起部１５側の周壁１２の一部を切り欠くことにより形成されている。そして、切り欠いた縁部にはフランジ部１２６をフランジ部１３から連続して設けることにより、指入れ部１２６周辺の強度を担保している。このような構成に指入れ部を形成することで、リフィル皿２の取り外しの際に端部をより容易に把持できるのみならず、指入れ部を外側へ凸起させた場合に比べて、フランジ部１３の出っ張りが少なくなり、材料や保管時のスペースの軽減につながる。本実施態様では、指入れ部１２５は周壁１２を山型に切り欠いて形成されているが、形状はこれに限らず、台形、長方形、正方形、かまぼこ型などでもよい。
【００２７】
図４は、本発明のリフィル皿保護容器の更に異なる一態様を示す図である。本実施態様のものは、第一および第二の態様のものと比べて基本的な構成は共通するが、突起部１６と指入れ部１２７の構成において相違する。すなわち、本実施態様の指入れ部１２７にはフランジ部がなく、単に周壁１２を切り欠いただけのものとなっている。そこで、指入れ部１２７周辺の周壁１２の強度を上げるためにも、突起部１６を指入れ部１２７よりも更に幅広なものに形成している。すなわち、指入れ部１２７にフランジ部を設けない場合、指入れ部１２７周辺の周壁１２は平板な１枚板となり強度が不足する。その点、突起部は平板な天面１１と周壁１２を折り曲げ成形して設けられているため、他の天面１１、周壁１２部分よりも耐撓性が高く、その突起部を本実施態様のように幅広に形成することにより、その周囲の周壁１２の強度が向上し、指入れ部１２７がフランジ部を有さないことによる強度不足を補うことができる。  
【００２８】
図５は、本発明のリフィル皿保護容器の別の一態様を示す図である。本実施態様のものは、前記態様のものと比べて主要な構成は共通するが、リフィル皿保護容器の天面１１およびその周縁より垂下する周壁１２の平面視における形状が円形である点、および、指入れ部部分の突起部１７が、指入れ部１２２の両端より少し外側に２つ設けられている点において相違する。本実施態様では、指入れ部１２２の構造は第一の態様のものと同じであることから、ジャバラ部による効果を除けば、基本的には第一の態様のリフィル皿保護容器と同様の効果を有するものであるが、突起部１７が２つ設けられていることから、その周囲の周壁１２の強度を向上させることができる。
【符号の説明】
【００２９】
１  …  …  リフィル皿保護容器
２  …  …  リフィル皿
１１  …  …  天面
１２  …  …  周壁
１３  …  …  フランジ部
１４  …  …  突起部
１５  …  …  突起部
１６  …  …  突起部
１７  …  …  突起部
２１  …  …  側壁
２２  …  …  底部
２３  …  …  段部
１２１  …  …  係止部
１２２  …  …  指入れ部
１２３  …  …  ジャバラ部
１２４  …  …  段差部
１２５  …  …  指入れ部
１２６  …  …  フランジ部
１２７  …  …  指入れ部
１３１  …  …  台座突起
α  …  …  化粧料
【図１】
0005638884.tif 000002
【図２】
0005638884.tif 000003
【図３】
0005638884.tif 000004
【図４】
0005638884.tif 000005
【図５】
0005638884.tif 000006